(57)【要約】【課題】狭いスペースの中でも誘導加熱コイル周囲の発光表示部の良好な発光特性を確保すること。【解決手段】加熱コイル２４外周近傍に設けられた光源３４と、光源３４の光を反射する側壁３６を有し、光が側方に拡散しないようにする反射枠３９と、加熱コイル２４を下方から支持するとともに反射枠３９が取り付けられる反射枠収納部４１を有するコイルベース２５とを備え、反射枠３９は上下開口部を有し、下から入射した光を反射させながら、上方に放射するようにするとともに、内面の光反射率をコイルベースの光反射率よりも大きくすることにより、狭いスペースにおいても発光表示部の良好な発光特性を得ることができ、さらに反射枠３９を光反射率の低いコイルベース２５の反射枠収納部４１に収納することにより、光が透けにくく、天板からも透けて見えにくい構成にできる。【選択図】図２
2014123425.tif 000002
【特許請求の範囲】
【請求項１】
外郭を構成する本体ケースと、前記本体ケースの上面に設けられ光を透過する材料で形成された天板と、前記天板の下部に設けられた加熱コイルと、前記加熱コイル外周近傍に設けられた光源と、前記光源の光を反射する側壁を有し前記光が側方に拡散しないようにする反射枠と、前記加熱コイルを下方から支持すると共に前記反射枠が取り付けられる反射枠収納部を有するコイルベースとを備え、前記反射枠は、下方に向かって開口する下開口部と、上方に向かって開口する上開口部を有し、前記下開口部から光を入射し、前記上開口部から放射された光が前記天板の裏面を照射するようにするとともに、前記側壁の内面の光反射率を前記コイルベースの光反射率よりも大きくした誘導加熱調理器。
【請求項２】
反射枠は底面を有した箱状とするとともに、前記底面に下開口部を形成し、前記底面の内面の光反射率を前記コイルベースの光反射率よりも大きくした請求項１に記載の誘導加熱調理器。
【請求項３】
上開口部を覆い上開口部から放射された光が透過することにより図柄表示する表示シートを備え、前記表示シートは反射枠収納部上端に設けられたフランジ部の下面と反射枠の側壁上面との間で挟持された請求項１または２に記載の誘導加熱調理器。
【請求項４】
表示シートの図柄表示部を垂直に投影した部分を除く位置に光源を配置させた請求項１〜３のいずれか１項に記載の誘導加熱調理器。
【請求項５】
コイルベースの反射枠収納部の上開口部端面を反射枠の上開口部の内側に位置させた請求項１〜４のいずれか１項に記載の誘導加熱調理器。
【請求項６】
反射枠外側の側壁とコイルベースの反射枠収納部の内壁との間に隙間を設けた請求項１〜５のいずれか１項に記載の誘導加熱調理器。
【請求項７】
表示シートの図柄表示部を垂直に投影した部分を除く反射枠の底面に通風孔を設けた請求項１〜６のいずれか１項に記載の誘導加熱調理器。
【請求項８】
反射枠の側壁部で光源の発光面より低い位置に通風孔を設けた請求項１〜７のいずれか１項に記載の誘導加熱調理器。
【請求項９】
コイルベース内に筒状の開口穴を設け、前記開口穴の下方の開口部に鍋底の温度を検知する赤外線センサーを設けた請求項１〜８のいずれか１項に記載の誘導加熱調理器。
【請求項１０】
コイルベースの反射枠収納部の上開口部で表示する図柄を形成した請求項１〜９のいずれか１項に記載の誘導加熱調理器。
【発明の詳細な説明】
【技術分野】
【０００１】
本発明は、加熱コイルの位置や動作状態等を発光表示するに誘導加熱調理器に関するものである。
【背景技術】
【０００２】
従来、この種の誘導加熱調理器は、ガス調理器や電気ヒータとは異なり加熱時に炎や赤熱が見えないので、近年は加熱状態を発光ダイオード等により発光表示して視覚的に訴える製品が普及してきている。
【０００３】
一例として、誘導加熱が開始されると加熱コイル外周近傍に設けた発光表示部が点灯するようにしたものがある（例えば、特許文献１参照）。
【０００４】
前記従来の誘導加熱調理器の発光表示部は、例えば図５に示すような構成のものがある。この構成（発光表示部のみ図示）は、外郭を形成する本体ケースとケース上面に設けられた光を透過させる材料で形成された天板と、天板の下部には調理容器を誘導加熱する加熱コイルが設けられた誘導加熱調理器本体内に載置される発光表示部を示している。
【０００５】
加熱コイル周囲の発光表示部は、光源１を有する発光基板２と、前記発光基板２を囲むように構成され上部に光を透過させる開口部を有する箱体３と、光源１の光を受けて光る輝部４と不透明部５が印刷により形成された表示シート６が前記箱体３の上部の開口部を覆うように載置され、表示シート６の下方から上方に向けて光源１から発せられた光により表示シート６を発光表示させ、加熱コイルの位置や使用状態を表示している。
【先行技術文献】
【特許文献】
【０００６】
【特許文献１】特開２０１０−２５７５７９号公報
【発明の概要】
【発明が解決しようとする課題】
【０００７】
しかしながら、従来の構成では、ＬＥＤ等の光源の光を直接上方の表示シートに向かって発光させるため、指向性の狭いＬＥＤの光を広い範囲に届かせようとすると、表示シートから遠い位置に光源を固定するため、スペースが必要となり、スペースを確保するか、あるいはＬＥＤの数を増やす必要があった。
【０００８】
また、このような発光表示手段を備えた誘導加熱調理器では、加熱部の状態を使用者に分かりやすく表示するため、できるだけ加熱部近傍に発光手段を設ける必要があり、発光表示部は加熱コイルや天板上の加熱調理容器からの熱影響を受けやすいものであった。
【０００９】
また、本体内に十分なスペースがあり、コイル周りの表示部にも十分な冷却風を行き渡らせることができる場合は、冷却効果を得ることができているが、例えば、海外等では主流になりつつある薄型のＩＨに同じようにコイル周りの発光表示部を搭載しようとした場合には、十分なスペースや冷却風が得られないので、今までの構成以上に温度上昇を抑制するような対応が必要であるという課題を有していた。
【００１０】
本発明は、前記従来の課題を解決するもので、コイル周りの発光表示部の良好な発光特性を確保しながら、加熱コイルや調理器からの熱による温度上昇を抑制でき、しかも薄型のＩＨのように狭いスペースの中でも実現できる発光表示部を有する誘導加熱調理器を提
供することを目的とする。
【課題を解決するための手段】
【００１１】
前記従来の課題を解決するために、本発明の誘導加熱調理器は、加熱コイル外周近傍に設けられた光源と、光源の光を反射する側壁を有し、光が側方に拡散しないようにする反射枠と、加熱コイルを下方から支持するとともに反射枠が取り付けられる反射枠収納部を有するコイルベースとを備え、反射枠は下方に向かって開口する下開口部と上方に向かって開口する上開口部とを有し、下開口部から入射した光を反射させながら、上開口部から放射された光が上方に照射するようにすると共に、反射枠の側壁の内面の光反射率をコイルベースの光反射率よりも大きくする構成としたものである。
【００１２】
このように、反射枠の内面の光反射率をコイルベースの光反射率より大きくしたことにより、ＬＥＤ等の光源の光を反射枠で反射させながら拡散できるので、狭いスペースにおいても発光表示部の良好な発光特性を得ることができる。さらに、反射枠を光反射率の低いコイルベースの反射枠収納部に収納することにより、光が透けにくく、天板からも透けて見えにくくできる。
【００１３】
コスト的にも、コイルベースを白色など光反射率の高い樹脂にファイラー等を含有させ、耐熱性および遮光性を高めて構成するより、安価に構成できる。
【００１４】
また、本発明の誘導加熱調理器は、コイルベースの反射枠収納部の上開口部端面を反射枠の上開口部の内側に位置させる、あるいは反射枠外側の側壁とコイルベースの反射枠収納部の内壁の間に隙間を設けることにより、調理容器や加熱コイルからの輻射熱や伝導熱を低減することにより、光源付近の温度上昇を抑制し光源の耐久性を上げ、良好な発光特性を保つことができる。
【００１５】
また、反射枠の底面および側壁に通風孔を設けることにより、発光特性を低減させることなく反射枠内の熱気を外に逃がし、さらに光源の温度上昇を抑制することができる。
【発明の効果】
【００１６】
本発明の誘導加熱調理器は、コイル周りの発光表示部の良好な発光特性を確保しつつ、加熱コイルや天板上の加熱調理容器からの熱による発光表示部の温度上昇を抑制でき、誘導加熱調理器の薄型化を実現することができる。
【図面の簡単な説明】
【００１７】
【図１】本発明の実施の形態１における誘導加熱調理器の断面図
【図２】本発明の実施の形態１における誘導加熱調理器の発光表示部の部分拡大断面図
【図３】本発明の実施の形態１における誘導加熱調理器の発光表示部の反射枠斜視図
【図４】本発明の実施の形態１における誘導加熱調理器の上方から見た平面外観図
【図５】従来の誘導加熱調理器の発光表示部の斜視図
【発明を実施するための形態】
【００１８】
第１の発明は、外郭を構成する本体ケースと、前記本体ケースの上面に設けられ光を透過する材料で形成された天板と、前記天板の下部に設けられた加熱コイルと、前記加熱コイル外周近傍に設けられた光源と、前記光源の光を反射する側壁を有し前記光が側方に拡散しないようにする反射枠と、前記加熱コイルを下方から支持すると共に前記反射枠が取り付けられる反射枠収納部を有するコイルベースとを備え、前記反射枠は、下方に向かって開口する下開口部と、上方に向かって開口する上開口部を有し、前記下開口部から光を入射し、前記上開口部から放射された光が前記天板の裏面を照射するようにするとともに
、前記側壁の内面の光反射率を前記コイルベースの光反射率よりも大きくしたものである。
【００１９】
これによって、ＬＥＤ等の光源の光を反射枠で反射させながら拡散できるので、狭いスペースにおいても発光表示部の良好な発光特性を得ることができるとともに、反射枠を光反射率の低いコイルベースに収納することにより、光りが透けにくく、天板からも透けて見えにくくできる。コスト的にも、コイルベースを白色など反射率の高い樹脂に、ファイラー等を含有させ、耐熱性および遮光性を高めて構成するより、安価に構成でき有利である。
【００２０】
第２の発明は、特に、第１の発明の反射枠は底面を有した箱状とするとともに、前記底面に下開口部を形成し、前記底面の内面の光反射率を前記コイルベースの光反射率よりも大きくしたことにより、底面でも光りを反射させることにより、さらに良好な発光特性を確保することができる。
【００２１】
第３の発明は、特に、第１または第２の発明において、上開口部を覆い上開口部から放射された光が透過することにより図柄表示する表示シートを備え、前記表示シートは反射枠収納部上端に設けられたフランジ部の下面と反射枠の側壁上面との間で挟持されたことにより、光り漏れを確実に防止することができるとともに、表示シートの確実に保持することができる。
【００２２】
第４の発明は、特に、第１〜３のいずれか１つの発明において、表示シートの図柄表示部を垂直に投影した部分を除く位置に光源を配置させたことにより、奥行きが狭いスペースでも表示シート裏面も利用しながら光を反射させ、さらに広い範囲を点灯させることができるとともに、光源の光を直接上方に透過させないので光ムラも軽減することができる。
【００２３】
第５の発明は、特に、第１〜４のいずれか１つの発明のコイルベースの反射枠収納部の上開口部端面を反射枠の上開口部の内側に位置させたことにより、調理容器から天板を伝ってくる輻射熱をコイルベースで遮ることができ、光源付近の温度上昇を抑制することができる。
【００２４】
第６の発明は、特に、第１〜５のいずれか１つの発明の反射枠外側の側壁とコイルベースの反射枠収納部の内壁との間に隙間を設けたことにより、加熱コイルの発熱によるコイルベースからの熱伝導を低減することができ、光源付近の温度上昇を抑制することができる。
【００２５】
第７の発明は、特に、第１〜６のいずれか１つの発明において、表示シートの図柄表示部を垂直に投影した部分を除く反射枠の底面に通風孔を設けたことにより、更なる光源部の温度低減を図りつつ、発光特性の低下を防止することができる。
【００２６】
第８の発明は、特に、第１〜７のいずれか１つの発明の反射枠の側壁部で光源の発光面より低い位置に通風孔を設けたことにより、更なる光源部の温度低減を図るとともに、反射枠からの光り漏れを抑制し、発光特性の低下を防止することができる。
【００２７】
第９の発明は、特に、第１〜８のいずれか１つの発明のコイルベース内に筒状の開口穴を設け、前記開口穴の下方の開口部に鍋底の温度を検知する赤外線センサーを設けたことにより、コイルベースは黒色など光反射率の低い樹脂で成型されているので、外乱光による影響を受けにくく、センサーが精度良く鍋底温度を検知することができる。
【００２８】
第１０の発明は、特に、第１〜９のいずれか１つの発明のコイルベースの反射枠収納部の上開口部で表示する図柄を形成したことにより、表示シートを廃止または印刷をメジウム印刷だけにするなど版数を削減でき、コスト的に有利となる。
【００２９】
以下、本発明の実施の形態について、図面を参照しながら説明する。なお、この実施の形態によって本発明が限定されるものではない。
【００３０】
（実施の形態１）
図１は、本発明の第１の実施の形態における誘導加熱調理器の断面図であり、図２は、本発明の第１の実施の形態における誘導加熱調理器の発光表示部の部分拡大断面図、図３は本発明の第１の実施の形態における誘導加熱調理器の発光表示部の反射枠斜視図、図４は本発明の第１の実施の形態における誘導加熱調理器の上方から見た平面外観図である。
【００３１】
図１〜４において、外郭を構成する本体ケース２１上面には、調理容器２２を載置する天板２３が設けられ、天板２３の下部には調理容器２２を誘導加熱する加熱コイル２４が設けられている。
【００３２】
加熱コイル２４は、下方からコイルベース２５により支持されており、加熱コイル２４の下部には集磁性を有するフェライト２６が放射状に配置されコイルベース２５に保持されている。
【００３３】
また、加熱コイル２４は内コイル、外コイルに分けて構成されており、内コイルと外コイルの間には筒状の開口穴２７が設けられておりコイルベース２５の裏面に取り付けられた赤外線センサー２８により、開口穴２７を介して調理容器２２の底面の温度を検知して加熱コイル２４に流す電流を制御し、誘導加熱状態を調節している。
【００３４】
コイルベース２５は、磁束漏れの影響をなくすために、防磁効果を有するアルミ等でできた防磁板２９上に載置され、防磁板２９は、加熱コイル２４側の空間と制御部３０側の空間を仕切るように設けられ、外郭等に設けられたバネ３１により、上方に力を加えられ、コイルベース２５を介して加熱コイル２４を支えながら、コイルベース２５に取り付けられた防振ゴム３２を天板２３に押し付け、加熱コイル２４と天板２３のギャップを一定の距離に保つ構成となっている。
【００３５】
加熱コイル２４近傍には、加熱コイル２４の位置や加熱状態を示す発光表示部３３（図４）が設けられている。コイル外周近傍の発光表示部３３は、ＬＥＤ等の発光素子からなる光源３４（図２）を搭載した発光基板３５と、その光源３４を囲むように配置され、光を反射する側壁３６を有し、さらに下方に向かって開口する下開口部３７と、上方に向かって開口する上開口部３８を有する反射枠３９と、放射された光を透過することにより図柄を表示する表示シート４０から構成されている。
【００３６】
光源を搭載した発光基板３５は、反射枠３９の下開口部３７を塞ぐように配置され、表示シート４０は、反射枠３９の上開口部３８を覆うように配置し、反射枠３９は、コイルベース２５の４角に設けられた反射枠３９の外形を形取った反射枠収納部４１に下方からはめ込み固定される構成で、表示シート４０が反射枠３９とコイルベース２５の反射枠収納部４１に挟持されている。
【００３７】
反射枠３９を構成する樹脂は、表示部の輝度を上げることができる光反射率の高い白い樹脂で成型されており、一方、コイルベース２５は発光表示部３３（図４）の光漏れや天板２３から透けて見えるのを防止するため、光反射率の低い黒色の樹脂で成型されている。
【００３８】
また、光源３４の設置位置は、表示シート４０の光を透過し図柄を表示する図柄表示部４２を垂直に投影した位置以外の場所に配置されている。反射枠３９の底面４３で、表示シート４０の光を透過する図柄表示部４２を垂直に投影した部分を除く一部に、熱気を逃がす通風孔４４ａ（図３）が設けてあり、さらに、反射枠３９の側壁３６の中で光源の発光面より低い高さの場所の一部に通風孔４４ｂ（図２、図３）を設けてある。
【００３９】
また、コイルベース２５の反射枠収納部４１の収納部上開口部４５の端面を反射枠３９の上開口部３８の端面の内側に位置させ、表示シート４０の光を透過しない部分の一部を覆っており、天板２３に載置される加熱された調理容器２２からの輻射熱が少しでも多く遮ることにより、下部の光源３４に熱が伝わり温度上昇することを抑制する構成となっている。
【００４０】
さらに、コイルベース２５の反射枠収納部４１と反射枠３９の側壁３６の間には、０．５ｍｍ程度の隙間４６が確保されており、加熱コイルの熱が、コイルベース２５の反射枠収納部４１を経由して、反射枠３９への熱伝導を抑制する構成となっている。
【００４１】
以上のように構成された誘導加熱調理器について、以下その動作、作用を説明する。
天板２３上の加熱位置に、調理容器２２を載置し、加熱スイッチを押し加熱を開始させると、光源３４が点灯し、光源３４から発せられた光は、光反射率の高い白い樹脂で成型された反射枠３９の底面４３および、側壁３６あるいは表示シート４０の裏面を反射しながら反射枠３９全体に広がりながら、表示シート４０の図柄表示部４２を点灯させ、さらに天板２３の光透過部を介して、使用者が発光表示された図柄を認識し、加熱状態や加熱ゾーンを認識することができる。
【００４２】
反射枠３９は、光反射率の高い白色の樹脂で成型されているため、少ない光源で広い範囲に反射させることができ、狭いスペースしか確保できない場合でも、良好な発光特性を確保することができる。
【００４３】
また、表示シート４０は、反射枠３９とコイルベース２５の反射枠収納部４１に挟持されるとともに、反射枠３９が光反射率の低い黒色のコイルベース２５で覆われているので、発光表示部３３（図４）の光漏れがなく、また天板２３の光透過部から透けて見えにくいため良好な発光表示状態を保つことができる。
【００４４】
また、光源３４が表示シート４０の光を透過し図柄を表示する部分を垂直に投影した位置以外の場所に配置されているため、奥行きが狭いスペースでも光源３４の光を反射させながらさらに広い範囲を点灯させることができるとともに、光源３４の光を直接上方に透過させないので光ムラも軽減することができる。
【００４５】
一方、誘導加熱が始まると、赤外線センサー２８（図１）による鍋底の検知が開始されるが、赤外線の検知通路および周囲を囲んでいるコイルベース２５は、光反射率の低い黒色を用いているため、外乱光による影響を受けにくく、赤外線センサー２８が精度良く鍋底温度を検知することができる。
【００４６】
発光表示部３３は、加熱位置を分かりやすくする表示機能も有しており、できるだけ加熱コイル２４近傍に配置されるため、加熱コイル２４の発熱や調理容器２２からの熱の影響を受けやすい。
【００４７】
また、構成が薄型のＩＨであるため、防磁板２９の下のスペースは、制御部３０およびそれを冷却するためのダクトが空間を占めており、加熱コイル２４およびその周辺部の発
光手段には、冷却用の風が流れにくい構造となっている。
【００４８】
しかしながら、コイルベース２５の反射枠収納部４１の上開口部４５端面を反射枠３９の上開口部３８の内側に位置させたことにより、調理容器２２から天板２３を伝ってくる輻射熱をコイルベース２５で遮ることができ、光源３４付近の温度上昇を抑制することができる。
【００４９】
さらに、反射枠３９外側の側壁３６とコイルベース２５の反射枠収納部４１の内壁４６の間に隙間を設けたことにより、加熱コイル２４の発熱によるコイルベース２５からの熱伝導を低減することができ、光源３４付近の温度上昇を抑制することができる。
【００５０】
さらに反射枠３９において、表示シート４０の図柄表示部４２を垂直に投影した部分を除く底面４３および側壁３６で光源３４の発光面より低い位置に通風孔４４ａ、４４ｂを設けたことにより、更なる光源３４周囲の温度低減を図りつつ、反射枠３９からの光り漏れを抑制し、発光特性の低下を防止することができる。
【００５１】
（実施の形態２）
本実施の形態では、主要な構成は実施の形態１と同様であり、異なる部分の構成について以下に説明する。
【００５２】
コイルベース２５の反射枠収納部４１の上開口部で表示する図柄を形成したことにより、表示シートを廃止または印刷をメジウム印刷だけにするなど版数を削減でき、コスト的に有利となる。
【産業上の利用可能性】
【００５３】
以上のように、本発明にかかる誘導加熱調理器は、加熱コイルの位置や動作状態を発光表示する発光表示手段の良好な発光特性を確保しながら、温度上昇を抑制し耐久性を確保することができるので、誘導加熱調理器に限らず発光手段を使用して発光表示するさまざまな装置に適用できる。
【符号の説明】
【００５４】
２１  本体ケース
２３  天板
２４  加熱コイル
２５  コイルベース
２８  赤外線センサー
３４  光源
３６  側壁
３７  下開口部
３８  上開口部
３９  反射枠
４０  表示シート
４１  反射枠収納部
４２  図柄表示部
４３  底面
４４ａ、４４ｂ  通風孔
４５  収納部上開口部
【図２】
2014123425.tif 000003
【図４】
2014123425.tif 000004
【図５】
2014123425.tif 000005
【図１】
2014123425.tif 000006
【図３】
2014123425.tif 000007